(57)【要約】    【課題】  表紙パネルに対する綴じ具の取り付け・取り外しの作業が簡単に行え、さらに取り外した後の取り扱いも容易になるように構成する。    【解決手段】  表紙パネル１と綴じ具のベース体５とを結合するクリップ８に、ベース体並びに表紙パネルにそれぞれ設けられた取付孔３２・３３を通過させるための弾性変形の復元により抜け止めを行う脚部３１を設け、ベース体側の取付孔３２を、中心軸回りの所定の角度位置でのみ、復元状態での脚部の通過を許容する形状に形成し、表紙パネル側の取付孔３３を、復元状態での脚部の通過を制限する形状に形成する。特に脚部が、取付孔の径方向に拡縮可能な一対の弾性係止片４３を有し、ベース体側の取付孔を、円孔の直径方向に２つの切り欠き３５を有する形状に形成し、表紙パネル側の取付孔を、円孔の半径方向に１つの切り欠き３６を有する形状に形成する。【選択図】    図３
2005153311.tif 000002
【特許請求の範囲】
【請求項１】
表紙パネルと綴じ具とをクリップで結合するファイル用綴じ具の取付構造であって、
前記クリップが、前記綴じ具並びに表紙パネルにそれぞれ設けられた取付孔を通過させるための弾性変形の復元により抜け止めを行う弾性係止部を備え、
前記綴じ具側の取付孔が、中心軸回りの所定の角度位置でのみ、復元状態での前記弾性係止部の通過を許容する形状に形成され、
前記表紙パネル側の取付孔が、復元状態での前記弾性係止部の通過を制限する形状に形成されたことを特徴とするファイル用綴じ具の取付構造。
【請求項２】
前記弾性係止部が、前記取付孔の径方向に拡縮可能な一対の弾性係止片を有し、
前記綴じ具側の取付孔が、円孔の直径方向に２つの切り欠きを有する形状に形成され、
前記表紙パネル側の取付孔が、円孔の半径方向に１つの切り欠きを有する形状に形成されたことを特徴とする請求項１に記載のファイル用綴じ具の取付構造。
【請求項３】
前記クリップの差込方向の先端部に、当該クリップを中心軸回りに回転させるための操作部が形成されたことを特徴とする請求項１若しくは請求項２に記載のファイル用綴じ具の取付構造。
【請求項４】
前記弾性係止部が、前記表紙パネルの表面側から嵌入して前記綴じ具の外面側に抜け出してその外面に係合する抜け止め段部を有し、
この抜け止め段部に、前記クリップの中心軸回りの回転を円滑化する面取が施されたことを特徴とする請求項１乃至請求項３のいずれかに記載のファイル用綴じ具の取付構造。
【発明の詳細な説明】
【技術分野】
【０００１】
本発明は、多数のシートをまとめて綴じ込む綴じ具を表紙パネルに着脱可能に取り付けるための取付構造に関するものである。
【背景技術】
【０００２】
多数のシートをまとめて綴じ込むファイルにおいては、廃棄処分の際に、可燃物からなる表紙パネルから金属製の綴じ具を取り外して材質ごとに分別する必要があり、表紙パネルから綴じ具を簡単に取り外しが可能な構成が望まれる。また老朽化した表紙パネルを取り替えて使用する場合にも、表紙パネルに対して綴じ具を簡単に着脱可能な構成が望まれる。
【０００３】
しかるに、綴じ具を表紙パネルに着脱可能に取り付けるには、両者を貫通するクリップで結合することが簡易であり、例えば綴じ具並びに表紙パネルにそれぞれ設けられた取付孔に挿通されて弾発的に係合する突起を備えたクリップを用いる構成が知られている（特許文献１参照。）。また、回転操作によって綴じ具と表紙パネルとを結合するクリップを用いる構成が知られている（特許文献２参照。）。
【特許文献１】特許３４０９６９３号公報
【特許文献２】特開平９−１４２０７７号公報
【発明の開示】
【発明が解決しようとする課題】
【０００４】
ところが、前記特許文献１に記載の構成では、表紙パネルに綴じ具を取り付ける作業については比較的簡単に行い得るものの、表紙パネルから綴じ具を取り外す際には、操作棒により突起を傾斜させた状態でクリップを抜き取るといった作業が必要になり、クリップが離脱するまで操作棒に力を入れ続ける必要があるため、取り外し作業が面倒になる不都合がある。また、前記特許文献２に記載の構成では、取り付け時に取付孔の形状に合わせてクリップを挿入して回転する作業が必要であり、取り付け作業をより一層簡略化可能な構成が望まれる。
【０００５】
さらに、前記従来の技術では、表紙パネルから綴じ具を取り外した際に、クリップも同時に分離されるため、以後のクリップの取り扱いに煩わされる不便がある。
【０００６】
本発明は、このような従来技術の問題点を解消するべく案出されたものであり、その主な目的は、表紙パネルに対する綴じ具の取り付け・取り外しの作業が簡単に行え、さらに取り外した後の取り扱いも容易になるように構成されたファイル用綴じ具の取付構造を提供することにある。
【課題を解決するための手段】
【０００７】
このような課題を解決するために、本発明においては、請求項１に示すとおり、表紙パネル（１）と綴じ具（６）とをクリップ（８）で結合するファイル用綴じ具の取付構造において、前記クリップが、前記綴じ具並びに表紙パネルにそれぞれ設けられた取付孔（３２・３３）を通過させるための弾性変形の復元により抜け止めを行う弾性係止部（脚部３１）を備え、前記綴じ具側の取付孔（３２）が、中心軸回りの所定の角度位置でのみ、復元状態での前記弾性係止部の通過を許容する形状に形成され、前記表紙パネル側の取付孔（３３）が、復元状態での前記弾性係止部の通過を制限する形状に形成されたものとした。
【０００８】
これによると、クリップの押し込み操作のみで表紙パネルと綴じ具とが結合され、取り付け作業を簡略化することができる。そして、廃棄処分などのために表紙パネルから綴じ具を取り外す際には、取り外し可能な角度位置にクリップを回転させることで表紙パネルから綴じ具を容易に分離することができ、しかもクリップが表紙パネルから簡単に脱落することがないため、クリップの取り扱いに煩わされる不便を解消することができる。
【０００９】
前記ファイル用綴じ具の取付構造においては、請求項２に示すとおり、前記弾性係止部が、前記取付孔の径方向に拡縮可能な一対の弾性係止片（４３）を有し、前記綴じ具側の取付孔が、円孔の直径方向に２つの切り欠き（３５）を有する形状に形成され、前記表紙パネル側の取付孔が、円孔の半径方向に１つの切り欠き（３６）を有する形状に形成された構成をとることができる。これによると、表紙パネルと綴じ具とを確実に結合することができる。
【００１０】
その上、クリップを中心軸回りに回転させて一対の弾性係止片を取付孔の切り欠きに整合させるだけで、ベース体を表紙パネルから容易に取り外すことができる。他方、表紙パネル側の取付孔では、一対の弾性係止片の一方が取付孔の切り欠きに整合する角度位置となっても、一対の弾性係止片が拡開復元状態のままで取付孔を通過することができないが、一対の弾性係止片の一方を切り欠きに整合させた状態で他方の弾性係止片を僅かに変形させれば比較的簡単に取り外すことができる。
【００１１】
この場合、クリップは、頭部から突出された軸部の先端からＶ字形状に一対の弾性係止片が頭部側に向けて傾斜状に延出されたアンカー形状のものが好適である。これによると、比較的長尺な弾性係止片により、取付孔内への挿入が円滑になされるため、取り付け時の作業性が向上し、さらに比較的厚みの小さな表紙パネルと綴じ具とを強固に結合することができる。
【００１２】
前記ファイル用綴じ具の取付構造においては、請求項３に示すとおり、前記クリップの差込方向の先端部に、当該クリップを中心軸回りに回転させるための操作部（溝部４５）が形成された構成をとることができる。これによると、取り外し時の作業性が向上する。
【００１３】
この場合、操作部は、コインなどの手近な物品で操作可能な溝形状とすると良い。
【００１４】
前記ファイル用綴じ具の取付構造においては、請求項４に示すとおり、前記弾性係止部が、前記表紙パネルの表面側から嵌入して前記綴じ具の外面側に抜け出してその外面に係合する抜け止め段部（４７）を有し、この抜け止め段部に、前記クリップの中心軸回りの回転を円滑化する面取が施された構成をとることができる。これによると、取付孔の開口縁部に対して接触した状態が長期間継続することによって抜け止め段部が取付孔の開口縁部に強固に密着した場合でも、クリップを中心軸回りに回転させる動作を円滑に行うことができ、取り外し時の作業性が向上する。
【発明の効果】
【００１５】
このように本発明によれば、クリップの押し込み操作のみで表紙パネルと綴じ具とが結合されるため、取り付け作業が簡単になる効果が得られる。さらに、クリップの回転操作のみで表紙パネルから綴じ具を容易に取り外すことができ、しかもクリップが表紙パネルから簡単に脱落することがないため、廃棄処分などのための取り外しの作業も簡単に行えるようになる。
【発明を実施するための最良の形態】
【００１６】
以下、本発明の実施の形態を、図面を参照しながら説明する。
【００１７】
図１は、本発明が適用されたファイルを示す斜視図である。このファイルは、表紙パネル１と、多数のシート（図示せず）を束ねた状態に保持するシート保持体２、並びに表紙パネル１の背部３の内面に固着されるベース体５からなる金属製の綴じ具６とを有し、綴じ具６のベース体５がクリップ８で表紙パネル１に取り付けられている。
【００１８】
シート保持体２は、一対の挟持部材１１・１２からなっている。一方の挟持部材１１は、端板１４にパイプ１５が一対固着されたものであり、他方の挟持部材１２は、端板１７にロッド１８が一対固着されたものであり、綴じ込むべきシートに穿設されたパンチ孔にパイプ１５を挿通し、かつパイプ１５内にロッド１８を挿通して両挟持部材１１・１２を組み付けることにより、端板１４・１７間に多数のシートがまとめて挟み込まれる。
【００１９】
挟持部材１１・１２は、各々の端板１４・１７の側縁部に連結軸２１・２２を備え、この連結軸２１・２２は、ベース体５に設けられた軸受け部２３・２４に対して着脱可能に連結され、かつ回動可能に保持されるため、一方の連結を解除して他方を支軸にしてシート保持体２を回動させることで、挟持部材１１・１２の一方を取り外してシートの入れ替えを行うことができる、いわゆる両開き型の構成となっている。
【００２０】
図２は、図１に示した綴じ具の取付構造を示す斜視図である。ベース体５の縦方向の両側には、クリップ８の脚部（弾性係止部）３１が挿通される取付孔３２が開設された取付部２６が設けられており、表紙パネル１の背部３には、ベース体５の取付孔３２に対応する位置に、同じくクリップ８の脚部３１が挿通される取付孔３３が開設されている。
【００２１】
クリップ８は、ベース体５の取付部２６と表紙パネル１とを重ね合わせて互いに整合する取付孔３２・３３による共通孔に対して表紙パネル１の表面側から脚部３１が嵌入され、ベース体５の取付部２６の外面側に抜け出した脚部３１が取付部２６の外面に係合することで抜け止めされ、これによりベース体５と表紙パネル１とが結合される。
【００２２】
図３は、図１に示した綴じ具の取付構造を詳しく示す斜視図である。ベース体５側の取付孔３２は、円孔の直径方向に２つの切り欠き３５を有する形状に形成されており、表紙パネル１側の取付孔３３は、円孔の半径方向に１つの切り欠き３６を有する形状に形成されている。表紙パネル１側の切り欠き３６は、ベース体５側の切り欠き３５と整合する位置に設けられている。またベース体５側の取付孔３２の一方の切り欠き３５の縁部には、表紙パネル１に対するベース体５の位置決めを行うために表紙パネル１側の取付孔３３の切り欠き３６に嵌合する突片３８が設けられている。
【００２３】
クリップ８の脚部３１は、頭部４１から突出された軸部４２の先端からＶ字形状に一対の弾性係止片４３が頭部４１側に向けて傾斜状に延出されたアンカー形状をなしており、一対の弾性係止片４３が径方向に拡縮可能となっている。軸部４２は、取付孔３２・３３の直径より僅かに短尺な幅を有する平板状をなしており、一対の弾性係止片４３が内向きに弾性変形することで取付孔３２・３３を通過する。
【００２４】
一対の弾性係止片４３は、ベース体５側の取付孔３２の切り欠き３５に整合する角度位置でのみ、拡開復元状態のままで取付孔３２を通過することができ、表紙パネル１にベース体５を取り付ける際には、両者を重ね合わせた状態で、一対の弾性係止片４３が取付孔３２の切り欠き３５に整合しない角度位置、例えば一対の切り欠き３５の径方向と一対の弾性係止片４３の径方向とが互いに直交する角度位置で、クリップ８を押し込むだけで良い。
【００２５】
また、脚部３１の先端部には、クリップ８を中心軸回りに回転させるための溝部（操作部）４５が形成されており、ねじ回しなどの工具の他にコインなどの手近な物品でクリップを回転操作することができる。このクリップ８は、ポリアミドなどの弾性に富む合成樹脂材料により一体成形されている。
【００２６】
図４は、図１に示したクリップによる結合状態を示す断面図である。クリップ８の弾性係止片４３の先端には、ベース体５側の取付孔３２の開口縁部に係合する抜け止め段部４７が形成されており、頭部４１と抜け止め段部４７との間にベース体５並びに表紙パネル１が挟み込まれ、同時に、抜け止め段部４７より先の係止部４８が、内向きに弾性変形した弾性係止片４３の弾発力で取付孔３２の内周面に圧接し、これによりベース体５が表紙パネル１に対してがたつくことなく確実に固定される。
【００２７】
クリップ８の頭部４１は、表紙パネル１の表面からの突出寸法を小さく抑えて見栄えが良くなるように薄肉に形成されており、その接触面４１ａは僅かに凹面となっており、頭部４１の弾性変形によりベース体５並びに表紙パネル１の板厚の多少の変更に対応することができる。
【００２８】
図５は、図１に示したクリップによる結合状態を示す斜視図である。前記の通り、クリップ８は、一対の弾性係止片４３が取付孔３２の切り欠き３５に整合しない角度位置に取り付けられており、取り外しの際には、溝部４５を利用してクリップ８を中心軸回りに回転させて一対の弾性係止片４３を取付孔３２の切り欠き３５に整合させれば良く、これによりベース体５を表紙パネル１から容易に取り外すことができる。
【００２９】
他方、表紙パネル１側の取付孔３３では、一対の弾性係止片４３の一方が切り欠き３６に整合する角度位置となっても、他方の弾性係止片４３の通過が制限されるため、一対の弾性係止片４３が拡開復元状態のままで取付孔３３を通過することができない。これによりクリップ８が表紙パネル１から簡単に脱落することを避けることができる。
【００３０】
クリップ８を表紙パネル１から取り外すには、一対の弾性係止片４３の一方を切り欠き３６に整合させた状態で他方の弾性係止片４３を内向きに変形させるように押し込めば良い。このとき、クリップ８は取付孔３３の中心線に対して傾斜した状態で、他方の弾性係止片４３が取付孔３３の円孔内に入り込み、脚部３１が取付孔３３から抜け出して、クリップ８が表紙パネル１から取り外される。
【００３１】
図６は、図１に示したクリップの要部を詳しく示す斜視図である。クリップ８の弾性係止片４３に設けられた抜け止め段部４７には、面取が施されている。具体的には、ベース体５側の取付孔３２の開口縁部に当接する係合面５１に対して傾斜した傾斜面５２が係合面５１に周方向に隣接して形成されている。これにより、取付孔３２の開口縁部に対して係合面５１が接触した状態で長期間経過することにより係合面５１が取付孔３２の開口縁部に強固に密着した場合でも、取り外しのためにクリップ８を中心軸回りに回転させる動作を円滑に行うことができる。
【産業上の利用可能性】
【００３２】
本発明にかかるファイル用綴じ具の取付構造は、表紙パネルに対する綴じ具の取り付け・取り外しの作業が簡単に行えるようになる利点を有し、廃棄処分の際の分別を容易にするなどの目的で綴じ具が表紙パネルに着脱可能に取り付けられたファイリング用具の用途に有用である。
【図面の簡単な説明】
【００３３】
【図１】本発明が適用されたファイルを示す斜視図である。
【図２】図１に示した綴じ具の取付構造を示す斜視図である。
【図３】図１に示した綴じ具の取付構造を詳しく示す斜視図である。
【図４】図１に示したクリップによる結合状態を示す断面図である。
【図５】図１に示したクリップによる結合状態を示す斜視図である。
【図６】図１に示したクリップの要部を詳しく示す斜視図である。
【符号の説明】
【００３４】
１  表紙パネル
２  シート保持体
３  背部
５  ベース体
６  綴じ具
８  クリップ
３１  脚部（弾性係止部）
３２・３３  取付孔
３５・３６  切り欠き
４１  頭部
４２  軸部
４３  弾性係止片
４５  溝部
４７  抜け止め段部
４８  係止部
５１  係合面
５２  傾斜面
【図１】
2005153311.tif 000003
【図２】
2005153311.tif 000004
【図３】
2005153311.tif 000005
【図４】
2005153311.tif 000006
【図５】
2005153311.tif 000007
【図６】
2005153311.tif 000008